(57)【特許請求の範囲】
【請求項１】
イオン発生ユニットで発生したイオンを含む空気を吹き出すための吹出口を開閉する風向調整板を駆動する駆動部を備えるイオン発生装置において、
前記吹出口及び風向調整板それぞれを複数備え、
自装置の動作が正常であるか否かを判定する判定部と、
該判定部で正常であると判定した場合と、正常でないと判定した場合とで、前記風向調整板の開閉態様が異なるように前記駆動部を制御する制御部と、
前記判定部で正常でないと判定した場合、正常でないことを報知する報知部と、
正常でない箇所を点検するための点検要求信号を外部装置から取得する取得部と
を備え、
前記制御部は、
前記取得部で点検要求信号を取得した場合、前記判定部でイオンの吹き出しが正常でないと判定した吹出口に対応する風向調整板の開閉態様が他の風向調整板の開閉態様と異なるようにしてあることを特徴とするイオン発生装置。
【請求項２】
前記制御部は、
前記判定部でいずれかの吹出口からのイオンの吹き出しが正常でないと判定した場合、該吹出口に対応する風向調整板の開き度合を、他の風向調整板の開き度合よりも大きくすることを特徴とする請求項１に記載のイオン発生装置。
【請求項３】
前記制御部は、
前記判定部でいずれかの吹出口からのイオンの吹き出しが正常でないと判定した場合、該吹出口に対応する風向調整板のみを閉じることを特徴とする請求項１に記載のイオン発生装置。
【請求項４】
１又は複数の吹出口に対応させて表示部を備え、
前記制御部は、
前記判定部で正常であると判定した場合と、正常でないと判定した場合とで、前記表示部の表示態様が異なるようにしてあることを特徴とする請求項１から請求項３までのいずれか１項に記載のイオン発生装置。
【請求項５】
前記制御部は、
前記判定部でいずれかの吹出口からのイオンの吹き出しが正常でないと判定した場合、該吹出口に対応する表示部を点灯させ、他の吹出口に対応する表示部を消灯させることを特徴とする請求項４に記載のイオン発生装置。
【請求項６】
前記制御部は、
前記判定部でいずれかの吹出口からのイオンの吹き出しが正常でないと判定した場合、該吹出口に対応する表示部のみを点滅させることを特徴とする請求項４に記載のイオン発生装置。
【発明の詳細な説明】
【技術分野】
【０００１】
本発明は、イオンを発生させるイオン発生装置に関する。
【背景技術】
【０００２】
従来、脱臭作用や除菌作用を有する液体から霧を発生させ、ファンを用いて発生させた気流によって霧を室内に拡散させることにより、室内の壁面等の脱臭や除菌をすることが可能な空気清浄機が実用化されている。
【０００３】
例えば、空気吸引口から空気を吸い込み、イオン発生部で発生したイオンを含んだ空気を複数の空気吹出口から吹き出すイオン発生装置が開示されている（特許文献１参照）。
【０００４】
このようなイオン発生装置では、複数の空気吹出口それぞれにイオン発生部及びイオンセンサなどを設けている。そして、イオンセンサでイオンが正常に発生していないことを検出すると、装置の前面に設けられたＬＥＤなどの表示灯を点灯又は点滅させて装置の異常を通知する。
【先行技術文献】
【特許文献】
【０００５】
【特許文献１】特開２０１０−２９５５３号公報
【発明の概要】
【発明が解決しようとする課題】
【０００６】
しかし、特許文献１のようなイオン発生装置で、例えば、イオンセンサでイオン濃度の異常などを検出した場合、異常をＬＥＤで通知することができるものの、複数のイオン発生部のいずれが異常であるかを知ることができない場合があった。また、イオン発生装置を天井に設置した場合には、１つのＬＥＤで異常を通知することができたとしても、異常の発生を視認することが困難な場合もあった。
【０００７】
本発明は斯かる事情に鑑みてなされたものであり、装置に異常が発生した場合にその異常及び異常個所を容易に確認することができるイオン発生装置を提供することを目的とする。
【課題を解決するための手段】
【０００８】
本発明に係るイオン発生装置は、イオン発生ユニットで発生したイオンを含む空気を吹き出すための吹出口を開閉する風向調整板を駆動する駆動部を備えるイオン発生装置において、前記吹出口及び風向調整板それぞれを複数備え、自装置の動作が正常であるか否かを判定する判定部と、該判定部で正常であると判定した場合と、正常でないと判定した場合とで、前記風向調整板の開閉態様が異なるように前記駆動部を制御する制御部と、前記判定部で正常でないと判定した場合、正常でないことを報知する報知部と、正常でない箇所を点検するための点検要求信号を外部装置から取得する取得部とを備え、前記制御部は、前記取得部で点検要求信号を取得した場合、前記判定部でイオンの吹き出しが正常でないと判定した吹出口に対応する風向調整板の開閉態様が他の風向調整板の開閉態様と異なるようにしてあることを特徴とする。
【０００９】
本発明にあっては、判定部は、自装置（イオン発生装置）の動作が正常であるか否かを判定する。動作が正常であるか否かは、例えば、イオン発生ユニットで発生するイオン濃度が正常値の範囲内であるか否か、イオン発生ユニットが正常に装着されているか否か、イオン発生ユニットに内蔵のメモリ内のデータ（例えば、通算動作時間、イオン発生異常回数など）にエラーがあるか否か等を判定する。なお、これらに限定されるものではない。
【００１０】
制御部は、判定部で正常であると判定した場合と、正常でないと判定した場合とで、風向調整板の開閉態様が異なるように駆動部を制御する。例えば、正常時に風向調整板が開状態の場合には、異常時には風向調整板を閉状態にする。また、正常時に風向調整板が開状態の場合には、異常時には風向調整板の開閉を繰り返す状態、あるいは正常時の開き具合よりもさらに大きく開いた状態にする。これにより、イオン発生ユニット等の異常が発生した場合に、容易に異常を確認することができる。
また、吹出口及び風向調整板それぞれを複数備え、報知部は、判定部で正常でないと判定した場合、正常でないことを報知する。報知部は、例えば、ＬＥＤ等の表示灯とすることができる。そして、保守要員等が、異常個所を特定するため、例えば、リモートコントロール等の外部装置から正常でない箇所を点検するための点検要求信号を送信した場合、取得部は当該点検要求信号を取得する。取得部は、例えば、リモートコントロール等の受光部である。制御部は、取得部で点検要求信号を取得した場合、判定部でイオンの吹き出しが正常でないと判定した吹出口に対応する風向調整板の開閉態様が他の風向調整板の開閉態様と異なるようにする。これにより、仮にいずれかのイオン発生ユニットに異常が発生した場合でも、保守要員等が点検又は交換作業を行うまでは正常なイオン発生ユニットの動作及びイオン発生装置の運転を継続することができる。また、保守要員等の点検又は交換作業時に、いずれのイオン発生ユニットが異常であるかを容易に確認することができるので、点検又は交換作業の能率を高めることができる。
【００１１】
本発明に係るイオン発生装置は、前記制御部は、前記判定部でいずれかの吹出口からのイオンの吹き出しが正常でないと判定した場合、該吹出口に対応する風向調整板の開き度合を、他の風向調整板の開き度合よりも大きくすることを特徴とする。
【００１２】
本発明にあっては、吹出口及び風向調整板それぞれを複数備え、制御部は、判定部でいずれかの吹出口からのイオンの吹き出しが正常でないと判定した場合、当該吹出口に対応する風向調整板の開き度合を、他の風向調整板の開き度合よりも大きくする。例えば、正常時の風向調整板の開き度合を０度（閉状態）〜４５度とした場合、異常時の風向調整板の開き度合を４５度よりも大きく、例えば、８０度、９０度等にする。これにより、風向調整板が他の風向調整板よりも大きく開いている箇所が異常であると確認することができるので、イオン発生ユニット等の異常が発生した場合に、複数のイオン発生ユニットのうち、いずれのイオン発生ユニットが異常であるかを容易に確認することができる。
【００１３】
本発明に係るイオン発生装置は、前記制御部は、前記判定部でいずれかの吹出口からのイオンの吹き出しが正常でないと判定した場合、該吹出口に対応する風向調整板のみを閉じることを特徴とする。
【００１４】
本発明にあっては、吹出口及び風向調整板それぞれを複数備え、制御部は、判定部でいずれかの吹出口からのイオンの吹き出しが正常でないと判定した場合、当該吹出口に対応する風向調整板のみを閉じる。これにより、風向調整板が閉じている箇所が異常であると確認することができるので、イオン発生ユニット等の異常が発生した場合に、複数のイオン発生ユニットのうち、いずれのイオン発生ユニットが異常であるかを容易に確認することができる。
【００１７】
本発明に係るイオン発生装置は、１又は複数の吹出口に対応させて表示部を備え、前記制御部は、前記判定部で正常であると判定した場合と、正常でないと判定した場合とで、前記表示部の表示態様が異なるようにしてあることを特徴とする。
【００１８】
本発明にあっては、１又は複数の吹出口に対応させて表示部を備える。表示部は、例えば、ＬＥＤとすることができ、ＬＥＤが点灯した場合に、吹出口に対応した態様で外部から認識することができる箇所であれば任意の箇所に設けることができる。制御部は、判定部で正常であると判定した場合と、正常でないと判定した場合とで、表示部の表示態様を異なるようにする。例えば、正常時に表示部が消灯の場合には、異常時には表示部を点灯又は点滅にする。これにより、表示部他の表示部と異なり、点灯又は点滅している箇所（吹出口）に対応するイオン発生ユニットが異常であると確認することができるので、イオン発生ユニット等の異常が発生した場合に、複数のイオン発生ユニットのうち、いずれのイオン発生ユニットが異常であるかを容易に確認することができる。
【００１９】
本発明に係るイオン発生装置は、前記制御部は、前記判定部でいずれかの吹出口からのイオンの吹き出しが正常でないと判定した場合、該吹出口に対応する表示部を点灯させ、他の吹出口に対応する表示部を消灯させることを特徴とする。
【００２０】
本発明にあっては、制御部は、判定部でいずれかの吹出口からのイオンの吹き出しが正常でないと判定した場合、当該吹出口に対応する表示部を点灯させ、他の吹出口に対応する表示部を消灯させる。これにより、表示部が点灯している箇所が異常であると確認することができるので、イオン発生ユニット等の異常が発生した場合に、複数のイオン発生ユニットのうち、いずれのイオン発生ユニットが異常であるかを容易に確認することができる。
【００２１】
本発明に係るイオン発生装置は、前記制御部は、前記判定部でいずれかの吹出口からのイオンの吹き出しが正常でないと判定した場合、該吹出口に対応する表示部のみを点滅させることを特徴とする。
【００２２】
本発明にあっては、制御部は、判定部でいずれかの吹出口からのイオンの吹き出しが正常でないと判定した場合、当該吹出口に対応する表示部のみを点滅させる。これにより、表示部が点滅している箇所が異常であると確認することができるので、イオン発生ユニット等の異常が発生した場合に、複数のイオン発生ユニットのうち、いずれのイオン発生ユニットが異常であるかを容易に確認することができる。
【発明の効果】
【００２５】
本発明によれば、イオン発生ユニット等の異常が発生した場合に、容易に異常を確認することができる。
【図面の簡単な説明】
【００２６】
【図１】本実施の形態のイオン発生装置のルーバを閉じた状態の構成の一例を示す外観斜視図である。
【図２】本実施の形態のイオン発生装置のルーバを開いた状態の構成の一例を示す外観斜視図である。
【図３】本実施の形態のイオン発生装置の内部構成の一例を示す斜視図である。
【図４】本実施の形態のイオン発生ユニットの一例を示す外観斜視図である。
【図５】本実施の形態のイオン発生装置の構成の一例を示すブロック図である。
【図６】本実施の形態のイオン発生装置による異常時の態様の一例を示す説明図である。
【図７】本実施の形態のイオン発生装置の異常時の様子の一例を示す平面図である。
【図８】本実施の形態のイオン発生装置の処理手順の第１例を示すフローチャートである。
【図９】本実施の形態のイオン発生装置の処理手順の第１例を示すフローチャートである。
【図１０】本実施の形態のイオン発生装置の処理手順の第２例を示すフローチャートである。
【図１１】本実施の形態のイオン発生装置の処理手順の第２例を示すフローチャートである。
【図１２】本実施の形態のイオン発生装置の処理手順の第３例を示すフローチャートである。
【図１３】本実施の形態のイオン発生装置の処理手順の第３例を示すフローチャートである。
【発明を実施するための形態】
【００２７】
以下、本発明をその実施の形態を示す図面に基づいて説明する。図１は本実施の形態のイオン発生装置１００のルーバを閉じた状態の構成の一例を示す外観斜視図であり、図２は本実施の形態のイオン発生装置１００のルーバを開いた状態の構成の一例を示す外観斜視図であり、図３は本実施の形態のイオン発生装置１００の内部構成の一例を示す斜視図である。イオン発生装置１００は、一面が開口した箱状のケース１、ケース１の開口面に装着される矩形状のパネル２などを備える。
【００２８】
パネル２は、中央部に矩形状の空気の取入口１０を設けてあり、取入口１０を設けた箇所の高さ寸法（厚み寸法）が大きく、パネル２の中央部から周部に向かって高さ寸法が小さくなるようにパネル２の表面（前面）を取入口１０の面に対して傾斜させてある。
【００２９】
パネル２の周縁部には、矩形状の空気の吹出口１１、１２、１３、１４を設けてある。また、それぞれの吹出口１１〜１４には、風向調整板であるルーバ２１、２２、２３、２４を設けてある。
【００３０】
ルーバ２１〜２４は、吹出口１１〜１４と略同寸法を有する矩形状をなす。ルーバ２１〜２４は、パネル２の周縁部と反対側の吹出口１１〜１４の縁部に沿った軸回りに回動可能に設けられている。ルーバ２１〜２４の回動動作は、後述のルーバ制御回路５８により制御される。ルーバ２１〜２４を閉じることにより、吹出口１１〜１４はルーバ２１〜２４で覆われる。また、ルーバ２１〜２４を適宜の角度（例えば、取入口１０の面に対する角度）で開くことにより、吹出口１１〜１４から吹き出されるイオンを含む空気は、ルーバ２１〜２４の内側面に当たって風向を調整することができる。また、吹出口１１〜１４から吹き出されるイオンを含む空気は、パネル２の中央部から周縁部へ向かう方向に吹き出すことができる。
【００３１】
吹出口１１〜１４の近傍には、それぞれの吹出口１１〜１４に対応させて表示部としてのＬＥＤ３１、３２、３３、３４を設けてある。ＬＥＤ３１〜３４は、例えば、取入口１０の周縁部と各吹出口１１〜１４の端部との間に設けることができる。
【００３２】
ＬＥＤ３１〜３４には、点灯時の光で、例えば、ルーバ２１〜２４の外側面の所望の領域を照らすことができるように導光部材（不図示）を設けることもできる。これにより、ルーバ２１〜２４の開閉状態に関わらず、ルーバ２１〜２４の外側表面の所望の領域を光らせることができ、外部からの視認性を高めることができる。
【００３３】
パネル２の前面には、異常の発生を報知する報知部としてのＬＥＤランプ、リモートコントロール等の外部装置から所定の信号を取得する取得部としての受光部などを備える表示パネル２５を設けてある。
【００３４】
例えば、表示パネル２５は、複数のＬＥＤランプを備え、イオン発生装置１００が運転状態であることを示すＬＥＤランプ（運転ランプ）、後述のイオン発生ユニットの交換を知らせるためのＬＥＤランプ、イオン発生ユニット等の異常を報知するためのＬＥＤランプ、イオン発生ユニット又はフィルタ（不図示）等の清掃を通知するためのＬＥＤランプなどを備える。
【００３５】
図２又は図３に示すように、それぞれの吹出口１１〜１４の内側には、イオン発生ユニット４１、４２、４３、４４を装着している。
【００３６】
図４は本実施の形態のイオン発生ユニット４１の一例を示す外観斜視図である。なお、他のイオン発生ユニット４２〜４４もイオン発生ユニット４１と同等であるので、以下では、イオン発生ユニット４１について説明する。
【００３７】
イオン発生ユニット４１は、箱状の収容部４１１を備え、収容部４１１には、正イオン及び負イオンを発生する電極部４１３、４１２を備えたイオン発生部、イオンセンサ４１４などを収容している。
【００３８】
イオン発生部は、矩形状の板状体であり、一方の端部近傍にマイナスイオンを発生させる電極部４１２を設けてあり、他方の端部近傍にプラスイオンを発生させる電極部４１３を設けてある。
【００３９】
収容部４１１の一側端部には、イオン発生ユニット４１を機械的及び電気的に接続するためのコネクタ４１５を備える。また、収容部４１１の一側端部には、イオン発生ユニット４１をケース１に固定するためのねじ部４１６を設けてある。
【００４０】
イオン発生ユニット４１は、空気中の水蒸気をプラズマ放電によりイオン化することにより、プラスイオンとしてのＨ+ （Ｈ2 Ｏ）n （ｎは任意の自然数）と、マイナスイオンとしてのＯ2 - （Ｈ2 Ｏ）m （ｍは任意の自然数）とを発生する。そして、これらが化学反応することにより、活性種である過酸化水素（Ｈ2 Ｏ2 ）及び／又は水酸基ラジカル（ＯＨ）が生成され、空気中の浮遊細菌や浮遊ウィルス等が除去される。
【００４１】
これにより、それぞれの吹出口１１〜１４は、独立にプラスイオンを含む空気、及びマイナスイオンを含む空気を吹き出すことができ、イオン発生装置１００から吹き出した空気中のプラスイオンとマイナスイオンとが直ちに中和することを防止できる。そして、イオンの中和を防止することにより、イオンの拡散性を向上させることができる。
【００４２】
また、図３に示すように、ケース１の中央部には、ファン３を設けてある。ファン３は、いわゆるターボファンであり、回転軸方向に立設した複数の羽板を備える。羽板は、ファン３の周方向に沿って傾斜させてある。すなわち、ファン３の回転軸から羽板の両端部までの半径方向に沿った距離が異なり、ファン３を回転させることにより、羽板が空気を外側に押し出すようにしてある。これにより、ファン３が回転することにより、取入口から空気が取り込まれ、ファン３の回転により、取り込まれた空気は、それぞれの吹出口１１〜１４からイオンを含んだ状態で放出される。
【００４３】
図５は本実施の形態のイオン発生装置１００の構成の一例を示すブロック図である。イオン発生装置１００は、マイクロコンピュータ５０、イオン発生ユニット４１〜４４、ＰＣＩ制御回路５１〜５４、リモコン受光部５５、所定のデータを記憶するメモリ５６、ファン３、ファン３の運転・停止及び回転数等を制御するファン制御回路５７、ルーバ２１〜２４、ルーバ２１〜２４の開閉を駆動するルーバ制御回路５８、表示パネル２５、表示部３１〜３４、表示部３１〜３４の点灯、点滅及び消灯を制御する表示部制御回路５９などを備える。
【００４４】
ＰＣＩ制御回路５１〜５４は、マイクロコンピュータ５０からの指令を受けて、イオン発生ユニット４１〜４４の駆動、停止を制御する。例えば、イオン発生ユニット４１〜４４を連続駆動（連続にイオンを発生させる）し、あるいは、イオン発生ユニット４１〜４４を間欠駆動（所定の間隔でオン／オフを繰り返すことで、間欠的にイオンを発生させる）する。
【００４５】
また、ＰＣＩ制御回路５１〜５４は、イオン発生ユニット４１〜４４の動作が正常であるか否かを判定する判定部としての機能を有する。なお、当該判定部の機能をマイクロコンピュータ５０が実行する構成でもよい。
【００４６】
動作が正常であるか否かは、例えば、イオン発生ユニット４１〜４４で発生するイオン濃度が正常値の範囲内であるか否か、イオン発生ユニット４１〜４４が正常に装着されているか否か、イオン発生ユニット４１〜４４に内蔵のメモリ内のデータ（例えば、通算動作時間、イオン発生異常回数など）にエラーがあるか否か等を判定する。なお、これらに限定されるものではない。また、マイクロコンピュータ５０が判定部の機能を実施する場合には、イオン発生ユニット４１〜４４の正常・異常の判定に加えて、ＰＣＩ制御回路５１〜５４の正常・異常を含めることもできる。
【００４７】
マイクロコンピュータ５０は、制御部としての機能を有する。すなわち、マイクロコンピュータ５０は、ＰＣＩ制御回路５１〜５４でイオン発生ユニット４１〜４４が正常であると判定した場合と、正常でないと判定した場合とで、ルーバ２１〜２４の開閉態様が異なるようにルーバ制御回路５８を制御する。
【００４８】
例えば、イオン発生ユニット４１〜４４が正常時にルーバ２１〜２４が開状態の場合には、イオン発生ユニット４１〜４４が異常時にはルーバ２１〜２４を閉状態にする。また、イオン発生ユニット４１〜４４が正常時にルーバ２１〜２４が開状態の場合には、イオン発生ユニット４１〜４４が異常時にはルーバ２１〜２４の開閉を繰り返す状態、あるいは正常時の開き具合よりもさらに大きく開いた状態にする。これにより、イオン発生ユニット４１〜４４等の異常が発生した場合に、容易に異常を確認することができる。
【００４９】
より具体的には、ＰＣＩ制御回路５１〜５４でいずれかの吹出口１１〜１４からのイオンの吹き出しが正常でないと判定した場合、当該吹出口１１〜１４のいずれかに対応するルーバ２１〜２４のいずれかの開き度合を、他のルーバの開き度合よりも大きくする。例えば、正常時のルーバ２１〜２４の開き度合を０度（閉状態）〜４５度とした場合、異常時のルーバ２１〜２４の開き度合を４５度よりも大きく、例えば、８０度、９０度等にする。これにより、ルーバが他のルーバよりも大きく開いている箇所が異常であると確認することができるので、イオン発生ユニット等の異常が発生した場合に、複数のイオン発生ユニット４１〜４４のうち、いずれのイオン発生ユニットが異常であるかを容易に確認することができる。
【００５０】
あるいは別の形態として、ＰＣＩ制御回路５１〜５４でいずれかの吹出口１１〜１４からのイオンの吹き出しが正常でないと判定した場合、当該吹出口に対応するルーバのみを閉じる。これにより、ルーバ２１〜２４のうち、ルーバが閉じている箇所が異常であると確認することができるので、イオン発生ユニット等の異常が発生した場合に、複数のイオン発生ユニット４１〜４４のうち、いずれのイオン発生ユニットが異常であるかを容易に確認することができる。
【００５１】
あるいは別の形態として、ＰＣＩ制御回路５１〜５４でいずれかの吹出口１１〜１４からのイオンの吹き出しが正常でないと判定した場合、イオン発生装置１００の運転を停止させ、当該吹出口に対応するルーバのみを開く。これにより、ルーバ２１〜２４のうち、ルーバが開いている箇所が異常であると確認することができるので、イオン発生ユニット等の異常が発生した場合に、複数のイオン発生ユニット４１〜４４のうち、いずれのイオン発生ユニットが異常であるかを容易に確認することができる。
【００５２】
あるいは別の形態として、次のようにしてもよい。ＰＣＩ制御回路５１〜５４でいずれかの吹出口１１〜１４からのイオンの吹き出しが正常でないと判定した場合、マイクロコンピュータ５０は、表示パネル２５の所定のＬＥＤランプを点灯させて、イオン発生ユニット４１〜４４のいずれかが正常でないことを報知する。そして、保守要員等が、異常個所を特定するため、例えば、リモートコントロール等の外部装置から正常でない箇所を点検するための点検要求信号を送信した場合、リモコン受光部５５は当該点検要求信号を取得する。マイクロコンピュータ５０は、リモコン受光部５５で点検要求信号を取得した場合、ＰＣＩ制御回路５１〜５４でイオンの吹き出しが正常でないと判定した吹出口に対応するルーバの開閉態様が他のルーバの開閉態様と異なるようにする。
【００５３】
これにより、仮にいずれかのイオン発生ユニットに異常が発生した場合でも、保守要員等が点検又は交換作業を行うまでは正常なイオン発生ユニットの動作及びイオン発生装置１００の運転を継続することができる。また、保守要員等の点検又は交換作業時に、いずれのイオン発生ユニットが異常であるかを容易に確認することができるので、点検又は交換作業の能率を高めることができる。
【００５４】
ルーバ２１〜２４に加えて、あるいはルーバ２１〜２４とは別に、表示部３１〜３４を用いることもできる。上述のように、表示部３１〜３４は、例えば、ＬＥＤとすることができ、ＬＥＤが点灯した場合に、吹出口に対応した態様で外部から認識することができる箇所であれば任意の箇所に設けることができる。
【００５５】
マイクロコンピュータ５０は、ＰＣＩ制御回路５１〜５４でイオン発生ユニット４１〜４４が正常であると判定した場合と、正常でないと判定した場合とで、表示部３１〜３４の表示態様が異なるように表示部制御回路５９を制御する。例えば、イオン発生ユニット４１〜４４が正常時に表示部３１〜３４が消灯の場合にはイオン発生ユニット４１〜４４のいずれかが異常時には表示部３１〜３４のいずれかを点灯又は点滅にする。これにより、表示部が他の表示部と異なり、点灯又は点滅している箇所（吹出口）に対応するイオン発生ユニットが異常であると確認することができるので、イオン発生ユニット等の異常が発生した場合に、複数のイオン発生ユニットのうち、いずれのイオン発生ユニットが異常であるかを容易に確認することができる。
【００５６】
より具体的には、マイクロコンピュータ５０は、ＰＣＩ制御回路５１〜５４でいずれかの吹出口１１〜１４からのイオンの吹き出しが正常でないと判定した場合、当該吹出口に対応する表示部を点灯させ、他の吹出口に対応する表示部を消灯させる。これにより、表示部が点灯している箇所が異常であると確認することができるので、イオン発生ユニット４１〜４４等の異常が発生した場合に、複数のイオン発生ユニット４１〜４４のうち、いずれのイオン発生ユニットが異常であるかを容易に確認することができる。
【００５７】
あるいは別の形態として、マイクロコンピュータ５０は、ＰＣＩ制御回路５１〜５４でいずれかの吹出口１１〜１４からのイオンの吹き出しが正常でないと判定した場合、当該吹出口に対応する表示部のみを点滅させる。これにより、表示部が点滅している箇所が異常であると確認することができるので、イオン発生ユニット４１〜４４等の異常が発生した場合に、複数のイオン発生ユニット４１〜４４のうち、いずれのイオン発生ユニットが異常であるかを容易に確認することができる。
【００５８】
あるいは別の形態として、次のようにしてもよい。ＰＣＩ制御回路５１〜５４でいずれかの吹出口１１〜１４からのイオンの吹き出しが正常でないと判定した場合、マイクロコンピュータ５０は、表示パネル２５の所定のＬＥＤランプを点灯させて、イオン発生ユニット４１〜４４のいずれかが正常でないことを報知する。そして、保守要員等が、異常個所を特定するため、例えば、リモートコントロール等の外部装置から正常でない箇所を点検するための点検要求信号を送信した場合、リモコン受光部５５は当該点検要求信号を取得する。マイクロコンピュータ５０は、リモコン受光部５５で点検要求信号を取得した場合、ＰＣＩ制御回路５１〜５４でイオンの吹き出しが正常でないと判定した吹出口に対応する表示部の表示態様が他の表示部の表示態様と異なるようにする。
【００５９】
これにより、仮にいずれかのイオン発生ユニットに異常が発生した場合でも、保守要員等が点検又は交換作業を行うまでは正常なイオン発生ユニットの動作及びイオン発生装置１００の運転を継続することができる。また、保守要員等の点検又は交換作業時に、いずれのイオン発生ユニットが異常であるかを容易に確認することができるので、点検又は交換作業の能率を高めることができる。
【００６０】
図６は本実施の形態のイオン発生装置１００による異常時の態様の一例を示す説明図である。図６は上述の内容を簡単にまとめたものである。イオン発生ユニット４１〜４４の正常又は異常を通知するための部材としては、それぞれの吹出口１１〜１４に対応したルーバ２１〜２４、及び／又は表示部３１〜３４を用いることができる。
【００６１】
図６に示すように、ルーバ２１〜２４を用いる場合、イオン発生ユニット４１〜４４が正常時にルーバ２１〜２４が開状態であるときは、異常ありの吹出口に対応するルーバを開状態とし、異常なしの吹出口に対応するルーバを閉状態とする。この場合には、イオン発生装置１００の運転を停止させることで、正常なイオン発生ユニットに対応するルーバは閉じた状態にし、異常なイオン発生ユニットに対応するルーバだけを開くことにより、異常があることを容易に認識することができる。
【００６２】
なお、異常なしの吹出口に対応するルーバを開状態とすることもできる。この場合には、異常ありの吹出口に対応するルーバの開き度合を、異常なしの吹出口に対応するルーバの開き度合より大きくすればよい。
【００６３】
また、別の態様として、イオン発生ユニット４１〜４４が正常時にルーバ２１〜２４が開状態であるときは、異常ありの吹出口に対応するルーバを開閉動作させ、異常なしの吹出口に対応するルーバを開状態とする。なお、この場合、異常なしの吹出口に対応するルーバを閉状態とすることもできる。これにより、例えば、イオン発生装置１００が運転中に、１つのルーバだけが開閉動作を繰り返すことにより異常があることを容易に認識することができる。
【００６４】
また、図６に示すように、表示部３１〜３４を用いる場合、イオン発生ユニット４１〜４４が正常時に表示部３１〜３４が消灯状態であるときは、異常ありの吹出口に対応する表示部を点灯状態とし、異常なしの吹出口に対応する表示部を消灯状態とする。これにより、例えば、イオン発生装置１００が運転中に、表示部が点灯していることにより異常があることを容易に認識することができる。
【００６５】
また、別の形態として、イオン発生ユニット４１〜４４が正常時に表示部３１〜３４が消灯状態であるときは、異常ありの吹出口に対応する表示部を点滅状態とし、異常なしの吹出口に対応する表示部を消灯状態とする。これにより、例えば、イオン発生装置１００が運転中に、表示部が点滅していることにより異常があることを容易に認識することができる。
【００６６】
図７は本実施の形態のイオン発生装置１００の異常時の様子の一例を示す平面図である。図７の例は、吹出口１１からのイオン発生に異常がある場合を示す。図７に示すように、吹出口１１に対応するルーバ２１は開状態となり、他の正常な吹出口に対応するルーバ２２〜２４は閉状態にする。また、吹出口１１に異常がある場合には、例えば、吹出口１１に対応するルーバ２１の符号Ａで示す領域が光るように表示部３１を点灯させ、他の正常な吹出口に対応する表示部は消灯させる。これにより、外部から異常の有無を容易に確認することができるとともに、いずれのイオン発生ユニットが異常であるかも容易に判断することができる。なお、異常時の態様は図７の例に限定されるものではない。
【００６７】
次に、本実施の形態のイオン発生装置１００の動作について説明する。図８及び図９は本実施の形態のイオン発生装置１００の処理手順の第１例を示すフローチャートである。なお、以下の処理手順では、便宜上主体をマイクロコンピュータ５０として説明する。
【００６８】
マイクロコンピュータ５０は、吹出口（すなわち、吹出口に対応するイオン発生ユニット等）に異常があるか否かを判定し（Ｓ１１）、異常がない場合（Ｓ１１でＮＯ）、動作開始信号を受信したか否かを判定する（Ｓ１２）。動作開始信号は、例えば、リモートコントロールからイオン発生装置１００へ送信される。
【００６９】
動作開始信号を受信していない場合（Ｓ１２でＮＯ）、マイクロコンピュータ５０は、ステップＳ１１以降の処理を続ける。動作開始信号を受信した場合（Ｓ１２でＹＥＳ）、マイクロコンピュータ５０は、ファン、イオン発生ユニットの動作を開始し、運転ランプを点灯させ、ルーバを開く（Ｓ１３）。
【００７０】
マイクロコンピュータ５０は、吹出口（すなわち、吹出口に対応するイオン発生ユニット等）に異常があるか否かを判定し（Ｓ１４）、異常がない場合（Ｓ１４でＮＯ）、動作停止信号を受信したか否かを判定する（Ｓ１５）。動作停止信号は、例えば、リモートコントロールからイオン発生装置１００へ送信される。
【００７１】
動作停止信号を受信していない場合（Ｓ１５でＮＯ）、マイクロコンピュータ５０は、ステップＳ１４以降の処理を続ける。動作停止信号を受信した場合（Ｓ１５でＹＥＳ）、マイクロコンピュータ５０は、ファン、イオン発生ユニットの動作を停止し、運転ランプを消灯させ、ルーバを閉じて（Ｓ１６）、処理を終了する。
【００７２】
ステップＳ１１で吹出口に異常がある場合（Ｓ１１でＹＥＳ）、マイクロコンピュータ５０は、後述のステップＳ１８の処理を行う。また、ステップＳ１４で吹出口に異常がある場合（Ｓ１４でＹＥＳ）、マイクロコンピュータ５０は、ファン、イオン発生ユニットの動作を停止し、運転ランプを消灯させ、ルーバを閉じて（Ｓ１７）、ステップＳ１８の処理を行う。
【００７３】
マイクロコンピュータ５０は、異常を示すランプを点灯又は点滅させる（Ｓ１８）。なお、異常を示すランプは、例えば、表示パネル２５のＬＥＤランプである。マイクロコンピュータ５０は、吹出口固有の異常であるか否かを判定する（Ｓ１９）。なお、吹出口固有の異常とは、例えば、イオン発生ユニット４１〜４４で発生するイオン濃度が正常値の範囲内でない場合、イオン発生ユニット４１〜４４が正常に装着されていない場合、イオン発生ユニット４１〜４４に内蔵のメモリ内のデータ（例えば、通算動作時間、イオン発生異常回数など）にエラーがある場合などである。
【００７４】
吹出口固有の異常である場合（Ｓ１９でＹＥＳ）、マイクロコンピュータ５０は、異常が発生した吹出口のルーバを開き、ルーバの表示部を点灯又は点滅させる（Ｓ２０）。なお、ルーバ及び表示部の両方を動作させるのではなく、ルーバのみ、あるいは表示部のみを動作させてもよい。吹出口固有の異常でない場合（Ｓ１９でＮＯ）、マイクロコンピュータ５０は、ステップＳ２０の処理を行わずに、後述のステップＳ２１の処理を行う。
【００７５】
マイクロコンピュータ５０は、異常解除されたか否かを判定する（Ｓ２１）。異常の解除は、例えば、イオン発生ユニットの交換作業あるいは清掃作業などによって行われる。異常解除されていない場合（Ｓ２１でＮＯ）、マイクロコンピュータ５０は、ステップＳ２１の処理を続け、異常が解除された場合（Ｓ２１でＹＥＳ）、異常を示すランプを消灯する（Ｓ２２）。
【００７６】
マイクロコンピュータ５０は、解除された異常が、吹出口固有の異常であるか否かを判定し（Ｓ２３）、吹出口固有の異常であった場合（Ｓ２３でＹＥＳ）、異常が発生した吹出口のルーバを閉じ、ルーバの表示部を消灯し（Ｓ２４）、処理を終了する。吹出口固有の異常でない場合（Ｓ２３でＮＯ）、マイクロコンピュータ５０は、ステップＳ２４の処理を行わずに、処理を終了する。
【００７７】
図１０及び図１１は本実施の形態のイオン発生装置１００の処理手順の第２例を示すフローチャートである。マイクロコンピュータ５０は、吹出口（すなわち、吹出口に対応するイオン発生ユニット等）に異常があるか否かを判定し（Ｓ３１）、異常がない場合（Ｓ３１でＮＯ）、動作開始信号を受信したか否かを判定する（Ｓ３２）。動作開始信号は、例えば、リモートコントロールからイオン発生装置１００へ送信される。
【００７８】
動作開始信号を受信していない場合（Ｓ３２でＮＯ）、マイクロコンピュータ５０は、ステップＳ３１以降の処理を続ける。動作開始信号を受信した場合（Ｓ３２でＹＥＳ）、マイクロコンピュータ５０は、ファン、イオン発生ユニットの動作を開始し、運転ランプを点灯させ、ルーバを開く（Ｓ３３）。
【００７９】
マイクロコンピュータ５０は、吹出口（すなわち、吹出口に対応するイオン発生ユニット等）に異常があるか否かを判定し（Ｓ３４）、異常がない場合（Ｓ３４でＮＯ）、動作停止信号を受信したか否かを判定する（Ｓ３５）。動作停止信号は、例えば、リモートコントロールからイオン発生装置１００へ送信される。
【００８０】
動作停止信号を受信していない場合（Ｓ３５でＮＯ）、マイクロコンピュータ５０は、ステップＳ３４以降の処理を続ける。動作停止信号を受信した場合（Ｓ３５でＹＥＳ）、マイクロコンピュータ５０は、ファン、イオン発生ユニットの動作を停止し、運転ランプを消灯させ、ルーバを閉じて（Ｓ３６）、処理を終了する。
【００８１】
ステップＳ３１で吹出口に異常がある場合（Ｓ３１でＹＥＳ）、マイクロコンピュータ５０は、後述のステップＳ３８の処理を行う。また、ステップＳ３４で吹出口に異常がある場合（Ｓ３４でＹＥＳ）、マイクロコンピュータ５０は、ファン、イオン発生ユニットの動作を停止し、運転ランプを消灯させ、ルーバを閉じて（Ｓ３７）、ステップＳ３８の処理を行う。
【００８２】
マイクロコンピュータ５０は、吹出口固有の異常であるか否かを判定する（Ｓ３８）。なお、吹出口固有の異常とは、例えば、イオン発生ユニット４１〜４４で発生するイオン濃度が正常値の範囲内でない場合、イオン発生ユニット４１〜４４が正常に装着されていない場合、イオン発生ユニット４１〜４４に内蔵のメモリ内のデータ（例えば、通算動作時間、イオン発生異常回数など）にエラーがある場合などである。
【００８３】
吹出口固有の異常である場合（Ｓ３８でＹＥＳ）、マイクロコンピュータ５０は、異常が発生した吹出口のルーバを開き、ルーバの表示部を点灯又は点滅させる（Ｓ３９）。なお、ルーバ及び表示部の両方を動作させるのではなく、ルーバのみ、あるいは表示部のみを動作させてもよい。吹出口固有の異常でない場合（Ｓ３８でＮＯ）、マイクロコンピュータ５０は、異常を示すランプを点灯又は点滅させる（Ｓ４０）。
【００８４】
マイクロコンピュータ５０は、異常解除されたか否かを判定する（Ｓ４１）。異常の解除は、例えば、イオン発生ユニットの交換作業あるいは清掃作業などによって行われる。異常が解除された場合（Ｓ４１でＹＥＳ）、マイクロコンピュータ５０は、解除された異常が、吹出口固有の異常であるか否かを判定する（Ｓ４２）。異常が解除されていない場合（Ｓ４１でＮＯ）、マイクロコンピュータ５０は、ステップＳ４１の処理を続ける。
【００８５】
吹出口固有の異常であった場合（Ｓ４２でＹＥＳ）、マイクロコンピュータ５０は、異常が発生した吹出口のルーバを閉じ、ルーバの表示部を消灯し（Ｓ４３）、処理を終了する。吹出口固有の異常でない場合（Ｓ４２でＮＯ）、マイクロコンピュータ５０は、異常を示すランプを消灯し（Ｓ４４）、処理を終了する。
【００８６】
図１２及び図１３は本実施の形態のイオン発生装置１００の処理手順の第３例を示すフローチャートである。マイクロコンピュータ５０は、吹出口（すなわち、吹出口に対応するイオン発生ユニット等）に異常があるか否かを判定し（Ｓ５１）、異常がない場合（Ｓ５１でＮＯ）、動作開始信号を受信したか否かを判定する（Ｓ５２）。動作開始信号は、例えば、リモートコントロールからイオン発生装置１００へ送信される。
【００８７】
動作開始信号を受信していない場合（Ｓ５２でＮＯ）、マイクロコンピュータ５０は、ステップＳ５１以降の処理を続ける。動作開始信号を受信した場合（Ｓ５２でＹＥＳ）、マイクロコンピュータ５０は、ファン、イオン発生ユニットの動作を開始し、運転ランプを点灯させ、ルーバを開く（Ｓ５３）。
【００８８】
マイクロコンピュータ５０は、吹出口（すなわち、吹出口に対応するイオン発生ユニット等）に異常があるか否かを判定し（Ｓ５４）、異常がない場合（Ｓ５４でＮＯ）、動作停止信号を受信したか否かを判定する（Ｓ５５）。動作停止信号は、例えば、リモートコントロールからイオン発生装置１００へ送信される。
【００８９】
動作停止信号を受信していない場合（Ｓ５５でＮＯ）、マイクロコンピュータ５０は、ステップＳ５４以降の処理を続ける。動作停止信号を受信した場合（Ｓ５５でＹＥＳ）、マイクロコンピュータ５０は、ファン、イオン発生ユニットの動作を停止し、運転ランプを消灯させ、ルーバを閉じて（Ｓ５６）、処理を終了する。
【００９０】
ステップＳ５１で吹出口に異常がある場合（Ｓ５１でＹＥＳ）、マイクロコンピュータ５０は、後述のステップＳ５８の処理を行う。また、ステップＳ５４で吹出口に異常がある場合（Ｓ５４でＹＥＳ）、マイクロコンピュータ５０は、ファン、イオン発生ユニットの動作を停止し、運転ランプを消灯させ、ルーバを閉じて（Ｓ５７）、ステップＳ５８の処理を行う。
【００９１】
マイクロコンピュータ５０は、異常を示すランプを点灯又は点滅させる（Ｓ５８）。なお、異常を示すランプは、例えば、表示パネル２５のＬＥＤランプである。マイクロコンピュータ５０は、点検要求信号を受信したか否かを判定する（Ｓ５９）。なお、点検要求信号は、例えば、リモートコントロールからイオン発生装置１００へ送信される。
【００９２】
点検要求信号を受信した場合（Ｓ５９でＹＥＳ）、マイクロコンピュータ５０は、吹出口固有の異常であるか否かを判定する（Ｓ６０）。なお、吹出口固有の異常とは、例えば、イオン発生ユニット４１〜４４で発生するイオン濃度が正常値の範囲内でない場合、イオン発生ユニット４１〜４４が正常に装着されていない場合、イオン発生ユニット４１〜４４に内蔵のメモリ内のデータ（例えば、通算動作時間、イオン発生異常回数など）にエラーがある場合などである。
【００９３】
吹出口固有の異常である場合（Ｓ６０でＹＥＳ）、マイクロコンピュータ５０は、異常が発生した吹出口のルーバを開き、ルーバの表示部を点灯又は点滅させ（Ｓ６１）、後述のステップＳ６２の処理を行う。なお、ルーバ及び表示部の両方を動作させるのではなく、ルーバのみ、あるいは表示部のみを動作させてもよい。
【００９４】
点検要求信号を受信していない場合（Ｓ５９でＮＯ）、マイクロコンピュータ５０は、ステップＳ６０、６１の処理を行わずに、ステップＳ６２の処理を行う。
【００９５】
マイクロコンピュータ５０は、異常解除されたか否かを判定する（Ｓ６２）。異常の解除は、例えば、イオン発生ユニットの交換作業あるいは清掃作業などによって行われる。異常解除されていない場合（Ｓ６２でＮＯ）、マイクロコンピュータ５０は、ステップＳ５９の処理を続け、異常が解除された場合（Ｓ６２でＹＥＳ）、異常を示すランプを消灯する（Ｓ６３）。
【００９６】
マイクロコンピュータ５０は、解除された異常が、吹出口固有の異常であるか否かを判定し（Ｓ６４）、吹出口固有の異常であった場合（Ｓ６４でＹＥＳ）、異常が発生した吹出口のルーバを閉じ、ルーバの表示部を消灯し（Ｓ６５）、処理を終了する。吹出口固有の異常でない場合（Ｓ６４でＮＯ）、マイクロコンピュータ５０は、ステップＳ６５の処理を行わずに、処理を終了する。
【００９７】
上述のように、イオン発生ユニット等の異常が発生し、吹出口から所定範囲内の濃度のイオンを発生させることができない場合、ルーバの開閉態様及び／又は表示部の表示態様を正常状態での態様と異なる態様にすることにより、いずれのイオン発生ユニットが異常であるかを容易に知ることができ、イオン発生ユニットの清掃又は交換の際の作業を容易にすることができる。
【００９８】
上述の実施の形態では、イオン発生ユニット及び吹出口を複数備える構成であったが、これに限定されるものではなく、イオン発生ユニット及び吹出口は１つであってもよい。
【符号の説明】
【００９９】
１  ケース
２  パネル
３  ファン
１０  取入口
１１、１２、１３、１４  吹出口
２１、２２、２３、２４  ルーバ（風向調整板）
２５  表示パネル（報知部、取得部）
３１、３２、３３、３４  表示部
４１、４２、４３、４４  イオン発生ユニット
５０  マイクロコンピュータ（制御部）
５１、５２、５３、５４  ＰＣＩ制御回路（判定部）
５５  リモコン受光部（取得部）
【図１】
0005871570.tif 000002
【図２】
0005871570.tif 000003
【図３】
0005871570.tif 000004
【図４】
0005871570.tif 000005
【図５】
0005871570.tif 000006
【図６】
0005871570.tif 000007
【図７】
0005871570.tif 000008
【図８】
0005871570.tif 000009
【図９】
0005871570.tif 000010
【図１０】
0005871570.tif 000011
【図１１】
0005871570.tif 000012
【図１２】
0005871570.tif 000013
【図１３】
0005871570.tif 000014